(57)【要約】【課題】書類等を封筒で保管する際の、書類の保管性および判別性に優れ、書類の廃棄処分が容易な封筒カバーおよび封筒綴じ具を提供する。【解決手段】封筒の側端に設けられるシート状で紙製の封筒カバー１であって、前記封筒カバー１は、その長手方向に沿って中央部に設けられた複数の折線部２と、この折線部２により折り曲げられることにより形成される背表紙部３およびその背表紙部３の左右側に屈曲して対向するように配置される一対の挟持部４、４と、この挟持部４、４の内面側に設けられ前記封筒の表裏面に粘着するための粘着部５、５とを備え、前記粘着部５、５は、前記封筒のフラップ下端から封筒の本体下端までの間で設けられている。また、封筒カバー１の短手方向に沿って切断線９が設けられている。【選択図】　図１
2004010112.tif 000002
【特許請求の範囲】
【請求項１】
封筒の側端に設けられるシート状の封筒カバーであって、
前記封筒カバーは、その長手方向に沿って中央部に設けられた複数の折線部と、この折線部により折り曲げられることにより形成される背表紙部およびその背表紙部の左右側に屈曲して対向するように配置される一対の挟持部と、この挟持部の内面側に設けられ前記封筒の表裏面に粘着するための粘着部とを備え、
前記粘着部は、前記封筒のフラップ下端から封筒の本体下端までの間で設けられていることを特徴とする封筒カバー。
【請求項２】
前記背表紙部および両挟持部に亘って、その封筒カバーの短手方向に沿って設けられた切断線を有することを特徴とする請求項１に記載の封筒カバー。
【請求項３】
封筒の側端に設けられるシート状の封筒カバーおよびこの封筒カバーに取り付けられる透明性材料からなるクリップからなる封筒綴じ具であって、
前記封筒カバーは、その長手方向に沿って中央部に設けられた複数の折線部と、この折線部により折り曲げられることにより形成される背表紙部およびその背表紙部の左右側に屈曲して対向するように配置される一対の挟持部と、この挟持部の内面側に設けられ前記封筒の表裏面に粘着するための粘着部とを備え、
前記クリップは、前記背表紙部に沿って設けられる背板部と、この背板部の左右側に屈曲して対向し、両端辺が互いに近接する方向に付勢されて設けられる側板部を備え、
前記クリップの側板部の両端辺で前記封筒カバーを挟持することを特徴とする封筒綴じ具。
【請求項４】
前記封筒カバーは、その背表紙部および両挟持部に亘って、その封筒カバーの短手方向に沿って設けられた切断線を有することを特徴とする請求項３に記載の封筒綴じ具。
【発明の詳細な説明】
【０００１】
【発明の属する技術分野】
本発明は、書類等を収納して保管する封筒に使用される封筒カバーおよび封筒綴じ具に関する。
【０００２】
【従来の技術】
従来、書類等を整理、保管する方法として、既存の書類ファイルに綴じて保管されることが知られている。また、書類等が封筒に入れられ郵送されてくる場合では、その封筒を有効利用するため、封筒を書類ファイルとして使用する場合もある。その際、封筒内から書類等が飛び出さないように封筒のフラップで封筒開口部を閉じた状態とし、また、収納された書類等の内容が封筒外部から判別できるように、封筒の表面または裏面に書類等の内容を判別するためのタイトル等を記載することが行なわれている。そして、封筒を書類ファイルとして使用するときは、書類等を、２つ穴を形成するパンチで穴をあけ、金属製あるいはプラスッチク製のファスナにより綴じた状態として、封筒に入れて保管している。
【０００３】
【発明が解決しようとする課題】
しかしながら、封筒に入れられ郵送されてきた書類等を、既存の書類ファイルに綴じて保管する場合には、書類等の保管のために、わざわざ、別途、書類ファイルを購入する必要があった。また、その書類ファイルを廃棄する場合には、書類等を綴じているファスナは金属製のものが多いために、ファスナを分別して廃棄する必要があった。そのためには、ファイルを開き、ファスナから書類等を外し、ファスナをファイルから外して廃棄する等の作業が必要であり、また、ファスナが簡単に外れないようなこともあり、時間がかかるという問題があった。
【０００４】
また、書類等を封筒により保管する場合では、封筒が複数あると、机または棚等に平積み（横積み）、または縦に並べて保管されることが多かった。そのため、封筒を平積みまたは縦に並べた場合には、封筒の表面または裏面に記載されたタイトル等が、他の封筒に隠されて、外部から判別できないという問題があった。そのため、封筒１つ１つのタイトル等を確認する必要があり、目的とする書類等を捜すのに時間がかかった。また、封筒内に収納されている書類等がファスナにより綴じられている場合には、書類からファスナを外して廃棄する必要があり、扱いが面倒であった。
【０００５】
そこで、紙資源である封筒を大切に有効利用するために、封筒に取り付けて、その封筒に優れた書類等の保管性、判別性を持たせる封筒カバーおよび封筒綴じ具が要望されていたが、今日までそのようなものは知られていなかった。
【０００６】
そこで、本発明は、上記問題を解決すべく創案されたもので、その目的は書類等を封筒で保管する際に、封筒を有効利用するために、封筒に取り付けて、その封筒に優れた書類等の保管性、判別性を持たせる封筒カバーおよび封筒綴じ具を提供することを目的とする。
【０００７】
【課題を解決するための手段】
前記課題を解決するために、請求項１に記載の発明は、封筒の側端に設けられるシート状の封筒カバーであって、前記封筒カバーは、その長手方向に沿って中央部に設けられた複数の折線部と、この折線部により折り曲げられることにより形成される背表紙部およびその背表紙部の左右側に屈曲して対向するように配置される一対の挟持部と、この挟持部の内面側に設けられ前記封筒の表裏面に粘着するための粘着部とを備え、前記粘着部は、前記封筒のフラップ下端から封筒の本体下端までの間で設けられている封筒カバーとして構成したものである。
【０００８】
前記の構成において、封筒カバーは、その折線部に沿って折り曲げて、背表紙部の両側に挟持部が対向するように配置して、その背表紙部が、封筒の側端に位置するように、挟持部の粘着部を封筒の側端近傍における表裏面に貼り付けることで封筒に取り付けられる。そのため、封筒カバーが取り付けられた封筒を書棚に複数並べた場合や、平積みした場合でも、封筒カバーの背表紙部が常に認識できる位置となる。また、封筒カバーの粘着部は、封筒のフラップの位置にはないので、そのフラップを有効に利用できる。しかも、フラップ側端部が挟持部によって挟持されるため、フラップの開口をある程度制限する。
【０００９】
また、請求項２に記載の発明は、前記背表紙部および両挟持部に亘って、その封筒カバーの短手方向に沿って設けられた切断線を有する封筒カバーとして構成したものである。前記構成において、封筒カバーに切断線が設けられていることにより、封筒カバーの長手方向の長さが、封筒の側端に対応した長さに切断され調整される。
【００１０】
また、前記請求項１または請求項２の構成に加えて、前記封筒カバーの四隅の少なくとも一隅に着色部を有することにより、他の封筒（書類ファイル）との区別が明確になる。
【００１１】
また、請求項３に記載の発明は、封筒の側端に設けられるシート状の封筒カバーおよびこの封筒カバーに取り付けられる透明性材料からなるクリップからなる封筒綴じ具であって、前記封筒カバーは、その長手方向に沿って中央部に設けられた複数の折線部と、この折線部により折り曲げられることにより形成される背表紙部およびその背表紙部の左右側に屈曲して対向するように配置される一対の挟持部と、この挟持部の内面側に設けられ前記封筒の表裏面に粘着するための粘着部とを備え、前記クリップは、前記背表紙部に沿って設けられる背板部と、この背板部の左右側に屈曲して対向し、両端辺が互いに近接する方向に付勢されて設けられる側板部を備え、前記クリップの側板部の両端辺で前記封筒カバーを挟持する封筒綴じ具として構成したものである。
【００１２】
前記の構成において、クリップは、前記封筒カバーの背表紙部に沿って設けられる背板部の両側に側板部が対向するように配置して、その側板部の互いに近接する方向に付勢された両端辺で前記封筒カバーを挟持することで、前記封筒カバーに取り付けられる。そのため、封筒内部に収納された書類等が封筒内の側端で強く保持または固定される。また、クリップが透明性材料で作製されていることにより、封筒カバーの背表紙部に記載されたタイトル等が外部から透かして見える。また、書類等を廃棄する際には、クリップを封筒カバーの上側または下側にスライドすることにより、封筒カバーから簡単に取り除かれる。
【００１３】
また、請求項４に記載の発明は、前記封筒カバーは、その背表紙部および両挟持部に亘って、その封筒カバーの短手方向に沿って設けられた切断線を有する封筒綴じ具として構成したものである。前記構成において、封筒カバーに切断線が設けられていることにより、封筒カバーの長手方向の長さが、封筒の側端に対応した長さに切断され調整される。
【００１４】
また、前記請求項３または請求項４の構成に加えて、封筒カバーに前記した着色部を設けることにより、他の封筒（書類ファイル）との区別が明確になる。さらに、前記粘着部を封筒のフラップ下端位置から封筒の本体下端までの間に設けることにより、フラップを有効に利用できる。
【００１５】
【発明の実施の形態】
以下、本発明の実施の形態を図面に基づき説明する。図１は封筒カバーの表面の正面図、図２は封筒カバーの裏面の正面図、図３は封筒カバーの使用状態を示す斜視図、図４（ａ）、（ｂ）は封筒カバーの折曲時の部分拡大斜視図、図５（ａ）、（ｂ）は封筒カバーの他の形態を示す斜視図、図６はクリップの斜視図、図７（ａ）はクリップの平面図、（ｂ）、（ｃ）はクリップの他の形態の平面図、図８は封筒綴じ具の使用状態を示す斜視図である。
【００１６】
本発明の第１の実施形態は、図１〜図３に示すように、封筒Ｅの高さ方向に沿って、その封筒Ｅの側端に設けられ、着色部８を有するシート状の封筒カバー１であって、その中央部に設けられた複数の折線部２で折り曲げられることにより、背表紙部３と、その背表紙部３の左右側に屈曲して対向するように配置された一対の挟持部４、４とを形成し、前記挟持部４、４の内面側に粘着部５、５が設けられている。
【００１７】
封筒カバー１は、紙またはプラスチック等から構成され、好ましくは紙製である。封筒カバー１が紙製の場合は、封筒Ｅおよび収納された書類等と共に、分別することなく廃棄することができる。また、用途により、プラスチック等で構成しても良い。また、封筒Ｅを縦置きした際に、封筒Ｅに屈曲が生じないように、封筒カバー１が適度な強度を有することが好ましく、板紙、例えば、白板紙、色ボール紙等で封筒カバー１を作製することが好ましい。
【００１８】
また、封筒カバー１の大きさは、挟持部４、４で挟持される封筒Ｅの大きさ、例えばＪＩＳ　Ｓ　５５０２に規定された長形、角形、洋形の封筒の大きさによって設定され、かつ、封筒Ｅの側端を挟持できる大きさに適宜設定する。好ましくは、長さＬ１は封筒Ｅの長さ（側端部）にほぼ等しく、幅Ｗ１は長さＬ１の約１／３程度の長さを有する。例えば、使用頻度の高いＡ４版書類用の角形２号封筒（横２４０ｍｍ×縦３３２ｍｍ）に使用する封筒カバー１の大きさは、横（幅Ｗ１）１０８ｍｍ×縦（長さＬ１）３２８ｍｍである。
【００１９】
なお、背表紙部３および両挟持部４、４に亘って、その封筒カバー１の短手方向に沿って切断線９を設け、封筒カバー１を、その切断線９で切断して、封筒Ｅの側端に対応する長さに調整しても良い。
【００２０】
また、この切断線９は、ミシン目で構成することが好ましいが、印刷等によって切断線９を封筒カバー１に表示し、ハサミ等で切断しても良い。また、切断線９は、直線形状に限定されず、図１に示すように、切断線９の両端部分を曲線で形成した形状でも良い。
【００２１】
また、封筒カバー１の厚みは、封筒カバー１に適度の強度を付与する厚みに設定されることが好ましい。すなわち、図３、図４に示すように、封筒カバー１を折線部２で折り曲げることにより形成した背表紙部３と、その両端の挟持部４、４からなる形状が保持される強度を有する。これにより、前記した封筒Ｅを縦置きした際の屈曲も防止できる。一例として、具体的には約０．５ｍｍ程度が好ましい。
【００２２】
折線部２は、図１、図２に示すように、封筒カバー１の長手方向に沿って中央部に設けられ、背表紙部３、挟持部４、４を形成するために、少なくとも２本の折線からなる。また、図３、図４に示すように、挟持部４、４で挟持される封筒Ｅの厚みに対応できるように２種類の折線、小幅用折線２ａ、大幅用折線２ｂを設けるのが好ましい。また、折線部２は、従来公知の加工方法、例えば、ローラ加工によって作製される。
【００２３】
背表紙部３は、図１〜図４に示されように、封筒カバー１を折線部２で折り曲げることにより形成され、その幅は、前記折線部２間の幅に相当し、かつ、挟持部４、４で挟持される封筒Ｅの厚みに相当する。そして、前記したように折線部２を２種類設けることにより、背表紙部３の幅も２種類の幅が設定される。例えば、小幅用折線２ａ、２ａで形成される背表紙部３の幅Ｗ２は約１０ｍｍであり、大幅用折線２ｂ、２ｂで形成される背表紙部３の幅Ｗ３は約２６ｍｍである。そして、背表紙部３は見出し部３ａ、３ａを有し（図１、図３参照）、封筒Ｅ内に収納される書類等の内容を判別するタイトル等が記載される。そして、複数の封筒Ｅが平積みまたは縦に並べられても、この背表紙部３によりタイトル等を認識できるので、封筒Ｅの判別性が優れたものとなる。なお、見出し部３ａの数は、特に限定されないが、上下２段が好ましい。
【００２４】
挟持部４、４は、図１〜図４に示されるように、封筒カバー１を折線部２で折り曲げることにより形成され、その幅は｛（封筒カバー１の幅Ｗ１）−（背表紙部３の幅Ｗ２またはＷ３）｝／２で規定され、封筒Ｅの側端を挟持できる大きさに設定される。例えば、角形２号封筒Ｅを挟持する場合には、小幅用折線２ａの使用（封筒Ｅに収納される書類等が少ない場合）で４９ｍｍ、大幅用折線２ｂの使用（封筒Ｅに収納される書類等が多い場合）で４１ｍｍとなる。そして、挟持部４、４の上部には副見出し部４ａ、４ａ、４ａが所定間隔を置いて複数（ここでは３つ）設けられ、前記見出し部３ａ、３ａを補足する内容が記載される。副見出し部４ａの幅、所定間隔、数は、特に限定されないが、例えば、幅約８ｍｍ程度の副見出し部４ａを約８ｍｍ間隔で３つ設けることが好ましい。また、挟持部４、４が、封筒Ｅの側端を挟持することにより、封筒ＥのフラップＥａの側端部も挟持される。その結果、フラップＥａの開口がある程度制限され、封筒Ｅが本来有している書類等の保管機能が向上する。
【００２５】
粘着部５、５は、図１〜図３に示すように、封筒カバー１を封筒Ｅの表裏面に粘着できれば、使用される粘着剤の種類は特に限定されず、従来公知の粘着剤が使用される。例えば、図２に示されるような両面粘着テープの使用が好ましいが、剥離紙６、６を必要としない粘着剤の使用を妨げるものではない。
【００２６】
また、粘着部５、５は、挟持部４、４を封筒Ｅの表裏面に粘着できる所定の長さで、封筒ＥのフラップＥａ下端位置から封筒Ｅの本体下端までの間に対応する位置に設けられる。そして、フラップＥａ下端位置に対応する位置から所定の長さに、封筒Ｅの本体下端位置に対応する位置から所定の長さに、または、フラップＥａ下端位置と本体下端位置の中間部に所定の長さで、連続的に、または不連続的に設けられている。なお、挟持部４（封筒カバー１）の上端部の、封筒ＥのフラップＥａに対応する位置（余白部７）には、粘着部が存在しない。この余白部７により、フラップＥａが開封自在となり、フラップ部Ｅａから書類等の出し入れが可能となる。そのため、従来の書類ファイルのように、書類ファイルを開いて、ファスナを取り外して、書類等の出し入れをするような面倒な手間を省くことができる。
【００２７】
また、粘着部５、５の幅は、封筒カバー１を封筒Ｅの表裏面に粘着できれば、特に限定されないが、角形２号の封筒に使用する場合で約６ｍｍが好ましい。さらに、粘着部５、５の挟持部４、４での位置についても、封筒Ｅの側端を挟持できれば、特に限定されないが、図２に示すように挟持部４、４の端部に設けるのが好ましい。
【００２８】
また、封筒カバー１は挟持部４、４の側端４ｂ、４ｂが直線形状（図１〜図３）の封筒カバー１だけでなく、図５（ａ）（ｂ）に示すように、挟持部４、４の側端４ｂ、４ｂに凸部４ｃまたは凹部４ｄを有する凹凸形状を有する封筒カバー１でも良い。
【００２９】
さらに、図１、図３に示すように、封筒カバー１の四隅の少なくとも一隅に着色部８を設け、その着色部８の色彩は着色部８以外の色彩と異なるものとする。また、着色部８の大きさは、外部から他の封筒と容易に判別できる機能を有すれば、特に限定されない。例えば、横７０ｍｍ×縦４０ｍｍが好ましい。なお、着色部８は、封筒カバー１を使用しており、他の書類ファイルとは異なることを示す目安としてここでは使用されている。
【００３０】
次に、封筒カバー１の使用方法について説明する。図３に示すように、
（１）封筒カバー１の見出し部３ａ、３ａに、封筒Ｅに収納された書類等のタイトル等を記載する。また、挟持部４、４の副見出し部４ａ、４ａ、４ａへ記載する事項があれば記載する。なお、必要であれば、切断線９によって、封筒カバー１の長さを、封筒Ｅの側端に対応する長さに調整する。
（２）封筒Ｅの厚みに対応する封筒カバー１の折線部２（小幅用折線２ａまたは大幅用折線２ｂ）を選択して、封筒カバー１を折線部２で折り曲げ、背表紙部３および挟持部４、４を形成する。背表紙部３の内側に設けられた粘着部５、５に剥離紙６、６（図２参照）が用いられている場合には、剥離紙６、６を剥がす。
（３）封筒カバー１の挟持部４、４で封筒Ｅの側端を挟持し、挟持部４、４の内面側に設けた粘着部５、５で封筒カバー１を封筒Ｅの表裏面に粘着して、封筒Ｅに封筒カバー１を取り付ける。
なお、（１）の見出し部３ａまたは副見出し部４ａへの記載は、（３）の挟持部４、４での封筒Ｅへの取付後に行なっても良い。
【００３１】
次に、本発明の第２の実施形態について説明する。なお、前記構成と同じ部材は同じ符号を付して説明を省略する。図８に示すように、封筒カバー１およびこの封筒カバー１の外側に取り付けられる透明性材料からなるクリップ１０からなる封筒綴じ具である。封筒カバー１は前記に記載した通りであって、クリップ１０は、図６〜図８に示すように、背板部１１と、その背板部１１の左右側に屈曲して対向するように配置され、両端辺１３、１３が互いに近接する方向に付勢された側板部１２、１２を備えている。そして前記クリップ１０の側板部１２、１２の両端辺１３、１３で前記封筒カバー１を挟持している。
【００３２】
クリップ１０は、再生ポリエチレンテレフタレート、ポリプロピレン等のポリオレフィンからなる透明性材料で作製される。クリップ１０が透明性を有することにより、封筒カバー１の背表紙部３に沿って設けられた背板部１１から、前記封筒カバー１の背表紙部３（見出し部３ａ、３ａ）に記載されたタイトル等が外部から透かして見える（視認することができる）。そのため、複数の封筒Ｅが平積みまたは縦に並べられても、背板部１１から収納された書類等のタイトル等が認識できるので、書類等の判別性が優れたものとなる。また、図７（ａ）に示すように、側板部１２、１２の両端辺１３、１３で封筒カバー１が挟持されることにより、封筒Ｅ内に収納された書類等が封筒Ｅ内の側端で強く保持または固定され、書類等の保管性が優れたものとなる。そして、図７（ｂ）に示すように、両端辺１３、１３の近傍に内面側に突出した凹陥部１４、１４を形成しても良い。
【００３３】
また、クリップ１０の大きさは、封筒カバー１を挟持して、封筒Ｅ内に収納された書類等が封筒Ｅ内の側端で強く保持または固定できる大きさに設定される。好ましくは、図６、図７に示すように、長さＬ２は封筒カバー１の長さＬ１にほぼ等しく、例えば、角形２号封筒の使用（封筒カバー１の長さＬ１が３２８ｍｍ）でＬ２＝２９８ｍｍである（後記するように、長さＬ１よりも短い長さＬ２を有するクリップ１０を複数使用しても良い）。また、幅Ｗ４（背板部１１の内側の幅）は封筒カバー１の背表紙部３の幅（封筒Ｅの厚さ）にほぼ等しく、例えば、角形２号封筒の使用（封筒カバー１の背表紙部３の幅１０ｍｍ）でＷ４＝１０．５ｍｍである。さらに、使用前（封筒カバー１を挟持前）の背板部１１から側板部１２、１２の両端辺１３、１３までの幅Ｗ５は、封筒カバー１（挟持部４）を外側から挟持できる大きさを有し、例えば、封筒カバー１の挟持部４の長さ４９ｍｍで幅Ｗ５＝１１ｍｍである。
【００３４】
また、クリップ１０の厚みＴは、クリップ１０を構成する材料によるが、使用時に封筒Ｅ内の書類等を保持または固定できる挟持力が側板部１２、１２（両端辺１３、１３）に付与されるように設定される。また、この挟持力は、封筒カバー１が取り付けられた封筒Ｅの差込により、互いに近接した側板部１２、１２の両端辺１３、１３が容易に（通常の力で）開くことが可能な強さに設定する。例えば、挟持される封筒Ｅの厚みが８ｍｍ程度である場合、厚みＴが０．８ｍｍ程度のポリプロピレン製の板材でクリップ１０を作製することが好ましい。ここで、近接とは両端辺間の距離が１ｍｍ以下の状態を言う。
【００３５】
クリップ１０の封筒カバー１への取付個数は１つに限定されず、封筒Ｅ内の書類等を保持または固定できれば、複数のクリップ１０、１０・・・を使用しても良い。例えば、クリップ１０の長さＬ２が封筒カバーの長さＬ１の半分以下の複数のクリップ１０を用いて、封筒カバー１の上端部と下端部の２箇所、または上端部、中間部、下端部の３箇所に取り付ける形態でも良い。
【００３６】
また、図７（ｃ）に示すように、クリップ１０の背板部１１の左右両端部に、他のクリップ１０と接続するための互いに係合する係合手段（凸部１５ａまたは凹部１５ｂ）を設けても良い。この係合手段により、収納された書類等の種類ごとに、複数の封筒Ｅを１つにまとめて保管できる。
【００３７】
次に、封筒綴じ具の使用方法について説明する。図８に示すように、
（Ａ）前記したように封筒Ｅの側端に封筒カバー１を取り付ける。
（Ｂ）封筒Ｅ内の書類等を封筒Ｅ内の側端に寄せる。
（Ｃ）前記（Ｂ）の封筒カバー１の上端部または下端部を、クリップ１０の側板部１２、１２の両端辺１３、１３に当接し、クリップ１０の背板部１１の内面側に当接するまで差し込む。クリップ１０の側板部１２、１２の両端辺１３、１３が外方に開き、さらに封筒カバー１を挟持する。
（Ｄ）クリップ１０を、封筒カバー１の上端部から下端部（または下端部から上端部）へ封筒カバー１の側端に沿って、クリップ１０をスライドすることにより、封筒カバー１にクリップ１０を取り付ける。これにより、封筒Ｅ内の書類等が、その封筒Ｅの外側からクリップ１０により強く保持または固定される。
【００３８】
なお、クリップ１０を使用することにより、封筒Ｅの反対側の側端および下端をハサミ等で開放することで、その封筒Ｅ自体を書類ファイルの表裏表紙として使用することもでき、別途、書類ファイルを購入する必要もないので、コスト面において優れたものとなる。
【００３９】
また、書類等を廃棄する場合には、クリップ１０をスライドするだけで簡単に封筒カバー１から取り外すことができるので、書類等の廃棄が容易である。また、取り外したクリップ１０は再利用することができる。さらに、クリップ１０を生分解性プラスチックにより形成すれば、廃棄する場合にクリップ１０を取り外す必要がなく都合が良い。
【００４０】
【発明の効果】
以上の通り、本発明においては、封筒カバーが、その中央部に設けられた折線部と、この折線部により形成される背表紙部および一対の挟持部と、この挟持部の内面側の粘着部とを備えることにより、書類等を封筒で保管する際に、書類等の保管性および判別性が優れたものとなり、廃棄処分が容易なものとなる。また、フラップの開閉により簡単に書類等を出し入れできるので、使い勝手の良いものとなる。さらに、郵送されてきた封筒自体を使用することから、紙資源の保護にもつながる。
【００４１】
また、本発明においては、封筒綴じ具が、封筒カバーおよびこの封筒カバーに取り付けられるクリップからなり、封筒カバーが前記構成を備え、クリップが、背板部と、その両端辺が近接する方向に付勢された側板部とを備え、前記クリップの側板部の両端辺で前記封筒カバーを挟持することにより、書類等を封筒で保管する際に、書類等の保管性および判別性が優れたものとなり、また、書類の廃棄処分が容易なものとなる。また、封筒自体が書類ファイルとなるので、別途、書類ファイルを購入する必要がない、また、クリップ自体を再利用できるので、コスト面で優れたものとなる。
【図面の簡単な説明】
【図１】本発明の封筒カバーの表面の正面図である。
【図２】本発明の封筒カバーの裏面の正面図である。
【図３】本発明の封筒カバーの使用状態を示す斜視図である。
【図４】（ａ）、（ｂ）は本発明の封筒カバーの折曲時の部分拡大斜視図である。
【図５】（ａ）、（ｂ）は本発明の封筒カバーの他の形態を示す斜視図である。
【図６】本発明のクリップの斜視図である。
【図７】（ａ）は本発明のクリップの平面図、（ｂ）、（ｃ）はクリップの他の形態を示す平面図である。
【図８】本発明の封筒綴じ具の使用状態を示す斜視図である。
【符号の説明】
１　　　封筒カバー
２　　　折線部
３　　　背表紙部
３ａ　　見出し部
４　　　挟持部
５　　　粘着部
９　　　切断線
１０　　クリップ
１１　　背板部
１２　　側板部
１３　　両端辺
Ｅ　　　封筒
Ｅａ　　フラップ
【図１】
2004010112.tif 000003
【図２】
2004010112.tif 000004
【図３】
2004010112.tif 000005
【図４】
2004010112.tif 000006
【図５】
2004010112.tif 000007
【図６】
2004010112.tif 000008
【図７】
2004010112.tif 000009
【図８】
2004010112.tif 000010